(57)【特許請求の範囲】
【請求項１】
撮像レンズを有するカメラ本体と、該カメラ本体に昇降自在に収容可能で前記撮像レンズによる撮像画像をユーザに観察させる電子ビューファインダーと、を備えるディジタルカメラにおいて、
前記電子ビューファインダーの昇降をガイドするガイド機構と、
前記電子ビューファインダーと前記ガイド機構とを連結する連結部と、前記電子ビューファインダーを前記連結部に対して第１の方向回りに回転可能に支持する第１の軸部と、前記連結部を前記ガイド機構に対して前記第１の方向に垂直な第２の方向回りに回転可能に支持する第２の軸部と、を有する二軸回転機構と、
を備えていることを特徴とするディジタルカメラ。
【請求項２】
前記ガイド機構は、
前記連結部を介して前記電子ビューファインダーに連結された支柱部と、
前記カメラ本体に設けられ、前記支柱部を昇降可能に入れ子状で収容する筒部と、
前記電子ビューファインダーが前記カメラ本体に収容された収容位置又は前記電子ビューファインダーが前記カメラ本体から突出した撮影位置に応じて、前記支柱部を位置決め可能な位置決め部と、
を備えていることを特徴とする請求項１記載のディジタルカメラ。
【請求項３】
前記位置決め部は、
前記支柱部の周面に前記収容位置に応じて刻設された第１のストッパ溝と、
前記支柱部の周面に前記撮影位置に応じて刻設された第２のストッパ溝と、
前記第１のストッパ溝又は第２のストッパ溝に係合可能なストッパピンと、
を備えていることを特徴とする請求項２記載のディジタルカメラ。
【請求項４】
前記第１の方向における前記電子ビューファインダーの逆回転を規制する逆回転規制部を備えていることを特徴とする請求項１乃至３の何れか１項記載のディジタルカメラ。
【請求項５】
前記第２の方向における前記連結部の回転範囲を規制する過回転規制部を備えていることを特徴とする請求項１乃至４の何れか１項記載のディジタルカメラ。
【請求項６】
前記連結部は、前記第１の軸部が挿通される第１の孔部が形成されて前記電子ビューファインダーに対向する縦面部と、前記第２の軸部が挿通される第２の孔部が形成されて前記支柱部に対向する横面部と、を略Ｌ字状に配置してなることを特徴とする請求項２又は３記載のディジタルカメラ。
【発明の詳細な説明】
【技術分野】
【０００１】
本発明は、ディジタルカメラに関するものであって、特に、電子ビューファインダーを縦横に回転自在なディジタルカメラを提供する。
【背景技術】
【０００２】
従来より、ディジタルカメラでは、被写体の大きさ、向き等に応じて、撮像レンズの光軸を中心にカメラを回転させ、縦画面位置と横画面位置とを撮り分けられている。
【０００３】
撮像レンズの撮像画像をユーザに観察させる電子ビューファインダーを用いたディジタルカメラでは、ユーザが電子ビューファイダーの接眼レンズを通して撮像画像を視認して撮影を行う。特に、屋外等でディジタルカメラのディスプレイが視認し難い場合には、電子ビューファインダーを介して撮像画像を確認するのが一般的である。
【０００４】
特許文献１には、筐体に対して昇降自在に設けられたファインダーを備えたディジタルカメラが開示されている。このディジタルカメラを用いて撮影する場合には、ユーザがファインダースイッチを押すことにより、ファインダー保持フックとファインダー後方フックとの係合が解除され、ファインダースプリングによってファインダーが撮影可能な位置まで上昇する。そして、筐体に設けられたストッパーがファインダーを所定の位置に位置決めする。ユーザは、ファインダーを通して被写体を視認し、シャッタースイッチを押すことで撮影を行う。
【先行技術文献】
【特許文献】
【０００５】
【特許文献１】特開平１０−１４２６６６号公報
【発明の概要】
【発明が解決しようとする課題】
【０００６】
しかしながら、上述したようなディジタルカメラは、ファインダーは、ファインダースプリングの付製方向に一致する筐体の長手方向に対して昇降するのみで、横画面位置の撮影に対応するものであり、縦画面位置の撮影には対応しないという問題があった。
【０００７】
そこで、ディジタルカメラの縦横の向きにかかわらず電子ビューファインダーを覗いて撮像画像を容易に確認するために解決すべき技術的課題が生じてくるのであり、本発明は、この課題を解決することを目的とする。
【課題を解決するための手段】
【０００８】
本発明は上記目的を達成するために提案されたものであり、請求項１記載の発明は、撮像レンズを有するカメラ本体と、該カメラ本体に昇降自在に収容可能で前記撮像レンズによる撮像画像をユーザに観察させる電子ビューファインダーと、を備えるディジタルカメラにおいて、前記電子ビューファインダーの昇降をガイドするガイド機構と、前記電子ビューファインダーと前記ガイド機構とを連結する連結部と、前記電子ビューファインダーを前記連結部に対して第１の方向回りに回転可能に支持する第１の軸部と、前記連結部を前記ガイド機構に対して前記第１の方向に垂直な第２の方向回りに回転可能に支持する第２の軸部と、を有する２軸回転機構と、を備えているディジタルカメラを提供する。
【０００９】
この構成によれば、ガイド機構が電子ビューファインダーの昇降をガイドし、二軸回転機構が電子ビューファインダーを第１の軸部又は第２の軸部回りに任意に回転させることができる。すなわち、電子ビューファインダーが連結部に対して第１の方向に相対的に回転することにより、電子ビューファインダーは、縦画面位置又は横画面位置の何れか一方に対応することができる。また、連結部がガイド機構に対して第２の方向に相対的に回転することにより、電子ビューファインダーは、縦画面位置又は横画面位置の他方に対応することができる。
【００１０】
請求項２記載の発明は、請求項１記載のディジタルカメラの構成に加えて、前記ガイド機構は、前記連結部を介して前記電子ビューファインダーに連結された支柱部と、前記カメラ本体に設けられ、前記支柱部を昇降可能に入れ子状で収容する筒部と、前記電子ビューファインダーが前記カメラ本体に収容された収容位置又は前記電子ビューファインダーが前記カメラ本体から突出した撮影位置に応じて、前記支柱部を位置決め可能な位置決め部と、を備えているディジタルカメラを提供する。
【００１１】
この構成によれば、電子ビューファインダーに連結された支柱部が筒部に入れ子状に収容されていることにより、電子ビューファインダーが昇降する際に、支柱部が水平方向に位置ズレすることが規制されているため、電子ビューファインダーを正確に昇降させることができる。
【００１２】
請求項３記載の発明は、請求項２記載のディジタルカメラの構成に加えて、前記位置決め部は、前記支柱部の周面に前記収容位置に応じて刻設された第１のストッパ溝と、前記支柱部の周面に前記撮影位置に応じて刻設された第２のストッパ溝と、前記第１のストッパ溝又は第２のストッパ溝に係合可能なストッパピンと、を備えているディジタルカメラを提供する。
【００１３】
この構成によれば、ストッパピンを第１のストッパ溝又は第２のストッパ溝に係合させることにより、電子ビューファインダーを収容位置又は撮影位置で任意に位置決めすることができる。
【００１４】
請求項４記載の発明は、請求項１乃至３の何れか１項記載のディジタルカメラの構成に加えて、前記第１の方向における前記電子ビューファインダーの逆回転を規制する逆回転規制部を備えているディジタルカメラを提供する。
【００１５】
この構成によれば、逆回転規制部が電子ビューファインダーの逆回転を規制するため、電子ビューファインダーの位置調整を容易に行うことができる。
【００１６】
請求項５記載の発明は、請求項１乃至４の何れか１項記載のディジタルカメラの構成に加えて、前記第２の方向における前記連結部の回転範囲を規制する過回転規制部を備えているディジタルカメラを提供する。
【００１７】
この構成によれば、過回転規制部が連結部の回転範囲を規制することにより、連結部の回り過ぎが抑制されるため、電子ビューファインダーの位置調整を容易に行うことができる。
【００１８】
請求項６記載の発明は、請求項２又は３記載のディジタルカメラの構成に加えて、前記連結部は、前記第１の軸部が挿通される第１の孔部が形成されて前記電子ビューファインダーに対向する縦面部と、前記第２の軸部が挿通される第２の孔部が形成されて前記支柱部に対向する横面部と、を略Ｌ字状に配置してなるディジタルカメラを提供する。
【００１９】
この構成によれば、略Ｌ字状に形成された連結部を用いて電子ビューファインダーと支柱部とが平面視で並んで配置されていることにより、従来のような電子ビューファインダーの下方に配置されたスプリングの設置スペースが省略されるため、カメラ本体を小型化することができる。
【発明の効果】
【００２０】
本発明は、電子ビューファインダーが連結部に対して第１の方向に相対的に回転することにより、電子ビューファインダーは、縦画面位置又は横画面位置の何れか一方に対応することができる。また、連結部がガイド機構に対して第２の方向に相対的に回転することにより、電子ビューファインダーは、縦画面位置又は横画面位置の他方に対応することができる。
【図面の簡単な説明】
【００２１】
【図１】本発明の一実施例に係るディジタルカメラを示す斜視図。
【図２】ディジタルカメラの一部切欠側面図。
【図３】ディジタルカメラの平面図。
【図４】位置決め部を示す図であり、（ａ）は支柱部を示す斜視図、（ｂ）は筒部を示す斜視図。
【図５】支柱部がストッパピンで位置決めされている様子を示す模式図であり、（ａ）は第１のストッパ溝にストッパピンが係合している様子を示す側面図であり、（ｂ）は、第２のストッパ溝にストッパピンが係合している様子を示す側面図である。
【図６】二軸回転機構を示す斜視図。
【図７】電子ビューファインダーが上昇した状態を示す斜視図。
【図８】図７の電子ビューファインダーを第１の軸部回りに回転させた状態を示す斜視図。
【図９】図８の連結部を第２の軸部回りに回転させた状態を示す斜視図。
【発明を実施するための形態】
【００２２】
本発明は、ディジタルカメラの縦横の向きにかかわらず電子ビューファインダーを覗いて撮像画像を容易に確認するという目的を達成するために、撮像レンズを有するカメラ本体と、カメラ本体に昇降自在に収容可能で撮像レンズによる撮像画像をユーザに観察させる電子ビューファインダーと、を備えるディジタルカメラにおいて、電子ビューファインダーの昇降をガイドするガイド機構と、電子ビューファインダーとガイド機構とを連結する連結部と、電子ビューファインダーを連結部に対して第１の方向回りに回転可能に支持する第１の軸部と、連結部をガイド機構に対して第１の方向に垂直な第２の方向回りに回転可能に支持する第２の軸部と、を有する二軸回転機構と、を備えていることにより実現した。
【実施例】
【００２３】
以下、本発明の一実施例に係るディジタルカメラ１について、図面に基づいて説明する。図１は、ディジタルカメラ１を示す斜視図である。図２は、ディジタルカメラ１の一部切欠斜視図である。図３は、蓋部３ｄを省略したディジタルカメラ１の平面図である。図４は、位置決め部５３を示す模式図である。図５（ａ）は、第１のストッパ溝５３ａにストッパピン５３ｃが係合している様子を示す側面図である。図５（ｂ）は、第２のストッパ溝５３ｂにストッパピン５３ｃが係合している様子を示す側面図である図６は、二軸回転機構６を示す斜視図。
【００２４】
本実施例に係るディジタルカメラ１は、撮像レンズ２ａ及びシャッターボタン２ｂを有するカメラ本体２と、撮像レンズ２ａによる撮像画像を表示する図示しない電子ディスプレイと、電子ビューファインダー３と、を備えている。なお、電子ディスプレイは、液晶ディスプレイ（ＬＣＯＳを含む）、有機ＥＬディスプレイ等である。
【００２５】
電子ビューファインダー３は、カメラ本体２内に収容可能であり、撮影時にはカメラ本体２から突出する。電子ビューファインダー３は、接眼レンズ４と、撮像画像を表示する図示しない画像表示部と、を備えている。ユーザは、接眼レンズ４を通して画像表示部に表示された撮像画像を視認する。カメラ本体２と電子ビューファインダー３とは、図示しない配線によって電気的に接続されている。
【００２６】
電子ビューファインダー３の正面３ａには、凸部３ｂが設けられている。ユーザは、凸部３ｂを摘まんで電子ビューファインダー３を昇降させることができる。
【００２７】
電子ビューファインダー３の側面３ｃには、蓋部３ｄが設けられている。蓋部３ｄは、電子ビューファインダー３の側面３ｃから突設されており、平面視で後述する支柱部５１及び筒部５２の上方に配置されている。
【００２８】
ディジタルカメラ１は、電子ビューファインダー３の昇降をガイドするガイド機構５と、ディジタルカメラ１の縦画面位置又は横画面位置に対応して電子ビューファインダー３を回転可能な二軸回転機構６と、を備えている。
【００２９】
ガイド機構５は、支柱部５１と、筒部５２と、位置決め部５３と、を備えている。
【００３０】
支柱部５１は、円柱状に形成されており、電子ビューファインダー３の昇降距離に応じた長さに設定されている。また、支柱部５１の先端にテーパ―状に面取りされたテーパ部５４が形成されていることにより、支柱部５１を筒部５２に取り付ける際に、支柱部５１が後述するストッパピン５３ｃを弾性変形させて支柱部５１を筒部５２にスムーズに挿通することができる。
【００３１】
筒部５２は、略円筒状に形成されており、電子ビューファインダー３の昇降距離の略２倍の長さに設定されている。筒部５２の上部には、切り欠き部５２ａが形成されている。切り欠き部５２ａは、後述する連結部６１が移動する際に干渉しないように形成されたものである。筒部５２の周面には、後述するストッパピン５３ｃの直径に応じた切り欠き部５２ｂが形成されている。切り欠き部５２ｂは、キーシートカッター等を用いて形成される。
【００３２】
位置決め部５３は、支柱部５１の上部周面に刻設された第１のストッパ溝５３ａと、支柱部５１の下部周面に刻設された第２のストッパ溝５３ｂと、カメラ本体２内に設けられたストッパピン５３ｃと、で構成されている。
【００３３】
第１のストッパ溝５３ａは、電子ビューファインダー３がカメラ本体２内に収容されたときの電子ビューファインダー３の位置（収容位置）において、ストッパピン５３ｃが支柱部５１に当たる位置に刻設されている。第１のストッパ溝５３ａは、側面視で略矩形状に切り欠いて形成されている。
【００３４】
第２のストッパ溝５３ａは、電子ビューファインダー３がカメラ本体２から突出した際の電子ビューファインダー３の位置（撮影位置）において、ストッパピン５３ｃが支柱部５１に当たる位置に刻設されている。したがって、第２のストッパ溝５３ｂは、第１のストッパ溝５３ａより下方に配置されおり、第１のストッパ溝５３ａと第２のストッパ溝５３ｂとの離間距離は、電子ビューファインダー３の昇降距離に対応する。第２のストッパ溝５３ｂは、側面視で略矩形状に切り欠かれていると共に、上部をテーパ―状に面取りされている。
【００３５】
ストッパピン５３ｃは、水平方向に延伸したピアノ線等であり、筒部５２の近傍でカメラ本体２に接着されている。なお、ストッパピン５３ｃは、カメラ本体２に打ち込まれて結合されたものであっても構わない。ストッパピン５３ｃは、切り欠き部５２ｂを介して支柱部５１に接触可能である。ストッパピン５３ｃが第１のストッパ溝５３ａ又は第２のストッパ溝５３ｂに係合することにより、支柱部５１を筒部５２に対して位置決めすることができる。
【００３６】
ストッパピン５３ｃの半径を、第１のストッパ溝５３ａの深さより大きく設定することにより、垂直方向の外力によってストッパピン５３ｃと第１のストッパ溝５３ａとの係合を容易に解除することができる。
【００３７】
また、ストッパピン５３ｃの半径を、第２のストッパ溝５３ｂの深さより小さく設定し、且つ、第１のストッパ溝５３ｂの上部がテーパ―状に形成されていることにより、垂直方向の外力によってストッパピン５３ｃと第２のストッパ溝５３ｂとの係合を容易に解除することができる。さらに、ストッパピン５３ｃの半径に対して、第２のストッパ溝５３ｂの深さを、より大きく設定することにより、ストッパピン５３ｃが第２のストッパ溝５３ｂよりも下方に脱落することが抑制される。なお、支柱部５１の先端にテーパ部５４が形成されていることにより、電子ビューファインダー３を連結部６１にて、支柱部５１に組み付け後、筒部５２に取り付けることができる。
【００３８】
二軸回転機構６は、連結部６１と、第１の軸部６２と、第２の軸部６３と、を備えている。
【００３９】
連結部６１は、略Ｌ字状に形成されている。連結部６１は、平面視で並設された電子ビューファインダー３と支柱部５１とを連結している。これにより、従来のような電子ビューファインダーの下方に配置されたスプリングの設置スペースが省略されるため、カメラ本体２を小型化することができる。連結部６１は、縦面部６１ａと、横面部６１ｂと、を備えている。なお、符号６４は、電子ビューファインダー３の側面３ｃに設けられ、接眼レンズ４の光軸を電子ビューファインダー３の昇降方向に一致させた状態で電子ビューファインダー３をカメラ本体２に収容する際に、連結部６１に当接して電子ビューファインダー３を所定の位置で位置決めするための位置決め突部である。
【００４０】
縦面部６１ａには、第１の軸部６２が挿通される第１の孔部６１ｃが形成されている。横面部６１ｂには、第２の軸部６３が挿通される第２の孔部６１ｄが形成されている。縦面部６１ａと横面部６１ｂとは、略直角に連結されている。横面部６１ｂの幅は、支柱部５１の幅と同じかそれ以下に設定されるのが好ましい。これにより、横面部６１ｂが筒部５２に干渉することを抑制できる。
【００４１】
第１の軸部６２は、電子ビューファインダー３を連結部６１に対して回転可能に軸支する。第１の軸部６２の回転軸Ａは、カメラ本体２の長手方向と平行に設定されている。以下、第１の軸部６２の軸線から視て電子ビューファインダー３を時計回りに回転させる方向を「第１の方向」と称す。符号６５は、第１の方向における電子ビューファインダー３の逆回転を受けて規制する逆回転規制突部である。
【００４２】
第２の軸部６３は、連結部６１を支柱部５１に対して回転可能に軸支する。第２の軸部６３の回転軸Ｂは、カメラ本体２の短手方向と平行に設定されている。以下、第２の軸部５３の軸線から視て連結部６１を時計回りに回転させる方向を「第２の方向」と称す。符号６６は、電子ビューファインダー３を受けて、第２の方向における連結部６１の回転範囲を規制する過回転規制突部である。
【００４３】
次に、電子ビューファインダー３の作用について、図面に基づいて説明する。図７は、電子ビューファインダー３が上昇した状態を示す斜視図である。図８は、電子ビューファインダー３を第１の軸部６２回りに回転させた状態を示す斜視図である。図９は、連結部６１を第２の軸部６３回りに回転させた状態を示す斜視図である。
【００４４】
図１に示すように、カメラ本体２内に収容された電子ビューファインダー３は、電子ビューファインダー３の蓋部３ｄが、支柱部５１及び筒部５２の上方を塞いでいる。電子ビューファインダー３がカメラ本体２に収容されている間は、ストッパピン５３ｃが第１のストッパ溝５３ａに係合し、電子ビューファインダー３が不用意に飛び出すことが防止されている。
【００４５】
電子ビューファインダー３及び支柱部５１が上昇すると、図７に示すように、電子ビューファインダー３がカメラ本体２から突出する。支柱部５１が筒部５２に囲繞されるため、電子ビューファインダー３が上昇する間に水平方向に移動することが規制される。電子ビューファインダー３が所定距離だけ上昇すると、ストッパピン５３ｃが第２のストッパ溝５３ｂに係合し、電子ビューファインダー３が撮影位置に位置決めされる。
【００４６】
図８に示すように、電子ビューファインダー３が第１の方向に略９０度回転すると、電子ビューファインダー３がカメラ本体２に当たり、撮像レンズ２ａの光軸と接眼レンズ４の光軸とが平行になり、ディジタルカメラ１の横画面位置に対応する。なお、電子ビューファインダー３が第１の方向と逆向きに回転することは、逆回転規制突部６５によって抑制されている。
【００４７】
図９に示すように、電子ビューファインダー３及び連結部６１が第２の方向に略９０度回転すると、電子ビューファインダー３が過回転規制突部６６に当たり、撮像レンズ２ａの光軸と接眼レンズ４の光軸とが略直交し、ディジタルカメラ１の縦画面位置に対応する。
【００４８】
上述したように、本実施例に係るディジタルカメラ１は、ガイド機構５０が電子ビューファインダー３の昇降をガイドし、二軸回転機構６０が電子ビューファインダー３を第１の軸部６２又は第２の軸部６３回りに任意に回転させることができる。すなわち、電子ビューファインダー３が連結部６１に対して第１の方向に相対的に回転することにより、電子ビューファインダー３は、横画面位置に対応することができる。また、連結部６１がガイド機構５０に対して第２の方向に相対的に回転することにより、電子ビューファインダー３は、縦画面位置に対応することができる。
【００４９】
また、電子ビューファインダー３に連結された支柱部５１が筒部５２に入れ子状に収容されていることにより、電子ビューファインダー３が昇降する際に、支柱部５１が水平方向に位置ズレすることが規制されているため、電子ビューファインダー３を正確に昇降させることができる。
【００５０】
さらに、ストッパピン５３ｃを第１のストッパ溝５３ａ又は第２のストッパ溝５３ｂに係合させることにより、電子ビューファインダー３を収容位置又は撮影位置で任意に位置決めすることができる。
【００５１】
上述した実施例においては、カメラ本体２の長手方向と平行に第１の軸部６２の回転軸を設定し、カメラ本体２の短手方向と平行に第２の軸部６３の回転軸を設定したが、これらの構造に限定されず、電子ビューファインダー３をカメラ本体２の短手方向と平行な回転軸回りに回転させ、連結部６１をカメラ本体２の長手方向と平行な回転軸回りに回転させる構造にしても構わない。
【００５２】
なお、電子ビューファインダー３及び連結部６１の回転角度は９０度に限定されず、例えば、８０度や１００度であっても構わない。
【００５３】
なお、本発明は、本発明の精神を逸脱しない限り種々の改変をなすことができ、そして、本発明が該改変されたものにも及ぶことは当然である。
【符号の説明】
【００５４】
１  ・・・  ディジタルカメラ
２  ・・・  カメラ本体
２ａ・・・  撮像レンズ
２ｂ・・・  シャッターボタン
３  ・・・  電子ビューファイダー
３ａ・・・  正面
３ｂ・・・  凸部
３ｃ・・・  側面
３ｄ・・・  蓋部
４  ・・・  接眼レンズ
５  ・・・  ガイド機構
５１・・・  支柱部
５２・・・  筒部
５２ａ・・・切り欠き部
５３・・・  位置決め部
５３ａ・・・第１のストッパ溝
５３ｂ・・・第２のストッパ溝
５３ｃ・・・ストッパピン
５４・・・  テーパ部
６  ・・・  二軸回転機構
６１・・・  連結部
６１ａ・・・縦面部
６１ｂ・・・横面部
６１ｃ・・・第１の孔部
６１ｄ・・・第２の孔部
６２・・・  第１の軸部
６３・・・  第２の軸部
６４・・・  位置決め突部
６５・・・  逆回転規制突部
６６・・・  過回転規制突部
Ａ  ・・・  （第１の軸部の）回転軸
Ｂ  ・・・  （第２の軸部の）回転軸
【要約】      （修正有）【課題】ディジタルカメラの縦横の向きにかかわらず電子ビューファインダーを覗いて撮像画像を容易に確認可能なディジタルカメラを提供する。【解決手段】ディジタルカメラ１は、撮像レンズ２ａを有するカメラ本体２と、撮像レンズ２ａによる撮像画像をユーザに観察させる電子ビューファインダー３と、電子ビューファインダー３の垂直昇降をガイドするガイド機構と、電子ビューファインダー３を縦画面位置又は横画面位置に応じて回転可能な二軸回転機構と、を備えている。二軸回転機構は、電子ビューファインダー３とガイド機構とを連結する連結部と、電子ビューファインダー３を連結部に対して第１の方向回りに回転可能に支持する第１の軸部と、連結部をガイド機構に対して第２の方向回りに回転可能に支持する第２の軸部と、を備えている。【選択図】図１【図１】
0005913718.tif 000002
【図２】
0005913718.tif 000003
【図３】
0005913718.tif 000004
【図４】
0005913718.tif 000005
【図５】
0005913718.tif 000006
【図６】
0005913718.tif 000007
【図７】
0005913718.tif 000008
【図８】
0005913718.tif 000009
【図９】
0005913718.tif 000010